【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
第１端末から送信されたコンテンツを受信し、前記第１端末にコンテンツを送信する端末の表示方法であって、
第１端末から送信されたコンテンツと、前記第１端末に送信されたコンテンツとを含む複数のコンテンツを時系列に前記端末の表示部に表示することと、
前記複数のコンテンツのうち、少なくとも第１コンテンツに対する前記端末のユーザによる第１入力を前記端末の制御部によって取得することと、
前記端末のユーザによる前記第１入力に基づいて、前記第１コンテンツが前記表示部に表示される位置である第１位置から第２位置に前記第１コンテンツを前記制御部によって移動し、前記複数のコンテンツが前記表示部に表示される順序を変更することを含む。
【請求項２】
請求項１に記載の表示方法であって、
前記第１入力は、前記端末のユーザが前記第１コンテンツをタッチする操作である。
【請求項３】
請求項２に記載の表示方法であって、
前記第２位置は、前記タッチする操作が終了した位置である。
【請求項４】
請求項１から請求項３のいずれか一項に記載の表示方法であって、
前記端末のユーザによって前記第１入力された前記第１コンテンツは、前記複数のコンテンツとは異なる表示態様で前記表示部に表示される。
【請求項５】
請求項１から請求項４のいずれか一項に記載の表示方法であって、
前記第２位置に移動された前記第１コンテンツは、前記複数のコンテンツとは異なる表示態様で前記表示部に表示される。
【請求項６】
請求項１から請求項５のいずれか一項に記載の表示方法であって、
前記第１コンテンツが前記第１位置から第１方向の前記第２位置に移動された場合、前記複数のコンテンツに含まれる、前記第１位置から前記第２位置の間に位置するコンテンツを前記第１方向とは反対の第２方向に移動させる制御を前記制御部によって行うことを含む。
【請求項７】
請求項１から請求項６のいずれか一項に記載の表示方法であって、
前記端末のユーザによる第２入力に基づいて、前記複数のコンテンツに含まれる第２コンテンツを前記表示部から削除することを含む。
【請求項８】
請求項１から請求項７のいずれか一項に記載の表示方法であって、
前記順序が変更された前記複数のコンテンツに関する第１情報を、前記第１端末に前記端末の通信部によって送信することを含む。
【請求項９】
請求項８に記載の表示方法であって、
前記第１端末を含む複数の端末の各々から送信されたコンテンツの受信を前記通信部によって行い、前記複数の端末にコンテンツの送信を前記通信部によって行うことと、
前記複数の端末のうち、前記端末のユーザによって選択された第１端末に前記第１情報を前記通信部によって送信することとを含む。
【請求項１０】
請求項８に記載の表示方法であって、
前記第１端末を含む複数の端末の各々から送信されたコンテンツの受信を前記通信部によって行い、前記複数の端末にコンテンツの送信を前記通信部によって行うことと、
前記複数の端末のうち、前記第１コンテンツを送信した第１端末に前記第１情報を前記通信部によって送信することとを含む。
【請求項１１】
請求項１から請求項７のいずれか一項に記載の表示方法であって、
前記複数のコンテンツが表示される順序が前記第１端末によって変更されたことに関する第２情報を前記端末の通信部によって受信することと、
前記第２情報に基づいて、前記複数のコンテンツが前記表示部に表示される順序を変更する制御を前記制御部によって行うこととを含む。
【請求項１２】
請求項１１に記載の表示方法であって、
前記複数のコンテンツが表示される順序の変更の許可に関する情報を、前記第１端末に前記通信部によって送信することを含む。
【請求項１３】
請求項１１または請求項１２に記載の表示方法であって、
前記第２情報に基づいて、前記複数のコンテンツが前記表示部に表示される順序が変更された場合、前記複数のコンテンツが前記表示部に表示される順序が変更されたことを示す通知を前記表示部に表示することを含む。
【請求項１４】
請求項１から請求項１３のいずれか一項に記載の表示方法であって、
複数のコンテンツのうち少なくとも一つのコンテンツが送信、または受信された時間に基づいて、前記順序が変更された前記複数のコンテンツの順序を初期化することを含む。
【請求項１５】
請求項１から請求項１４のいずれか一項に記載の表示方法であって、
前記コンテンツは、メッセージ、絵、写真、および絵文字のうち少なくとも一つを含む。
【請求項１６】
第１端末から送信されたコンテンツの受信と、前記第１端末にコンテンツを送信する端末のコンピュータに実行させるプログラムであって、
第１端末から送信されたコンテンツと、前記第１端末に送信されたコンテンツとを含む複数のコンテンツを時系列に前記端末の表示部に表示することと、
前記複数のコンテンツのうち、少なくとも第１コンテンツに対する前記端末のユーザによる第１入力を前記端末の制御部によって取得することと、
前記端末のユーザによる前記第１入力に基づいて、前記第１コンテンツが前記表示部に表示される位置である第１位置から第２位置に前記第１コンテンツを前記制御部によって移動し、前記複数のコンテンツが前記表示部に表示される順序を変更することを含む。
【請求項１７】
第１端末から送信されたコンテンツの受信と、前記第１端末にコンテンツを送信する端末であって、
第１端末から送信されたコンテンツと、前記第１端末に送信されたコンテンツとを含む複数のコンテンツを時系列に表示する表示部と、
前記複数のコンテンツのうち、少なくとも第１コンテンツに対する前記端末のユーザによる第１入力を取得する制御部とを備え、
前記制御部は、前記端末のユーザによる前記第１入力に基づいて、前記第１コンテンツが前記表示部に表示される位置である第１位置から第２位置に前記第１コンテンツを移動し、前記複数のコンテンツが前記表示部に表示される順序を変更する制御を行う。
【手続補正２】
【補正対象書類名】明細書
【補正対象項目名】発明の名称
【補正方法】変更
【補正の内容】
【発明の名称】表示方法、端末およびプログラム
【手続補正３】
【補正対象書類名】明細書
【補正対象項目名】０００７
【補正方法】変更
【補正の内容】
【０００７】
本発明の一実施形態は、第１端末から送信されたコンテンツを受信し、前記第１端末にコンテンツを送信する端末の表示方法であって、第１端末から送信されたコンテンツと、前記第１端末に送信されたコンテンツとを含む複数のコンテンツを時系列に前記端末の表示部に表示することと、前記複数のコンテンツのうち、少なくとも第１コンテンツに対する前記端末のユーザによる第１入力を前記端末の制御部によって取得することと、前記端末のユーザによる前記第１入力に基づいて、前記第１コンテンツが前記表示部に表示される位置である第１位置から第２位置に前記第１コンテンツを前記制御部によって移動し、前記複数のコンテンツが前記表示部に表示される順序を変更することを含んでよい。
【手続補正４】
【補正対象書類名】明細書
【補正対象項目名】０００８
【補正方法】変更
【補正の内容】
【０００８】
本発明の他の実施形態は、第１端末から送信されたコンテンツの受信と、前記第１端末にコンテンツを送信する端末のコンピュータに実行させるプログラムであって、第１端末から送信されたコンテンツと、前記第１端末に送信されたコンテンツとを含む複数のコンテンツを時系列に前記端末の表示部に表示することと、前記複数のコンテンツのうち、少なくとも第１コンテンツに対する前記端末のユーザによる第１入力を前記端末の制御部によって取得することと、前記端末のユーザによる前記第１入力に基づいて、前記第１コンテンツが前記表示部に表示される位置である第１位置から第２位置に前記第１コンテンツを前記制御部によって移動し、前記複数のコンテンツが前記表示部に表示される順序を変更することを含んでよい。
【手続補正５】
【補正対象書類名】明細書
【補正対象項目名】０００９
【補正方法】変更
【補正の内容】
【０００９】
本発明の他の実施形態は、第１端末から送信されたコンテンツの受信と、前記第１端末にコンテンツを送信する端末であって、第１端末から送信されたコンテンツと、前記第１端末に送信されたコンテンツとを含む複数のコンテンツを時系列に表示する表示部と、前記複数のコンテンツのうち、少なくとも第１コンテンツに対する前記端末のユーザによる第１入力を取得する制御部とを備え、前記制御部は、前記端末のユーザによる前記第１入力に基づいて、前記第１コンテンツが前記表示部に表示される位置である第１位置から第２位置に前記第１コンテンツを移動し、前記複数のコンテンツが前記表示部に表示される順序を変更する制御を行ってよい。
【手続補正６】
【補正対象書類名】明細書
【補正対象項目名】００１０
【補正方法】削除
【補正の内容】